(57)【要約】【課題】安価であってかつ大型化を回避しつつも主従関係にある各電子内視鏡で撮像された画像をデジタル信号として外部出力することが可能な電子内視鏡用プロセッサを提供すること。【解決手段】電子内視鏡用プロセッサは、電気的かつ光学的に接続された電子内視鏡から送信された画像信号に画像処理を施すことにより第一のデジタル信号を生成する画像処理手段と、少なくとも一つの外部装置から出力されたアナログ信号を第二のデジタル信号に変換する信号変換手段と、第一デジタル信号と第二デジタル信号の少なくとも一方を外部に出力するデジタル信号出力手段と、を有する構成にした。【選択図】図１
2007244464.tif 000002
【特許請求の範囲】
【請求項１】
電気的かつ光学的に接続された電子内視鏡から送信された画像信号に画像処理を施すことにより第一のデジタル信号を生成する画像処理手段と、
少なくとも一つの外部装置から出力されたアナログビデオ信号を第二のデジタル信号に変換する信号変換手段と、
前記第一デジタル信号と前記第二デジタル信号の少なくとも一方を外部に出力するデジタル信号出力手段と、を有することを特徴とする電子内視鏡用プロセッサ。
【請求項２】
請求項１に記載の電子内視鏡用プロセッサにおいて、
少なくとも前記第一のデジタル信号をアナログ変換して外部に出力するアナログ信号出力手段を有することを特徴とする電子内視鏡用プロセッサ。
【請求項３】
請求項２に記載の電子内視鏡用プロセッサにおいて、
前記アナログ信号出力手段は、前記デジタル信号出力手段から出力されたデジタル信号が入力する位置に配設されており、外部に出力されるデジタルビデオ信号と同一データのアナログ信号を出力することを特徴とする電子内視鏡用プロセッサ。
【請求項４】
請求項１から請求項３のいずれかに記載の電子内視鏡用プロセッサにおいて、
前記デジタル信号出力手段から外部に出力されるデジタルビデオ信号に、該デジタル信号が前記第一のデジタル信号、前記第二のデジタル信号のいずれであるかを表すキャラクタ信号を重畳する信号重畳手段をさらに有することを特徴とする電子内視鏡用プロセッサ。
【請求項５】
請求項１から請求項４のいずれかに記載の電子内視鏡用プロセッサであって、
前記デジタル信号出力手段は、前記第一デジタル信号と前記第二デジタル信号を択一的に外部に出力することを特徴とする電子内視鏡用プロセッサ。
【請求項６】
請求項１から請求項５のいずれかに記載の電子内視鏡用プロセッサにおいて、
前記第一のデジタル信号と前記第二のデジタル信号のいずれか一方の出力を指示する操作手段をさらに有し、
前記デジタル信号出力手段は、前記操作手段の指示に対応するデジタル信号を外部に出力することを特徴とする電子内視鏡用プロセッサ。
【請求項７】
電子内視鏡と、
内視鏡と、
前記内視鏡から送信された画像信号に画像処理を施し、アナログビデオ信号として外部に出力する補助プロセッサと、
前記電子内視鏡および前記補助プロセッサが接続される、請求項１から請求項６のいずれかに記載の電子内視鏡用プロセッサと、を有することを特徴とする電子内視鏡システム。
【請求項８】
電子内視鏡と、
前記電子内視鏡から送信された第一画像信号に画像処理を施すことにより第一デジタル信号を生成する第一プロセッサと、
内視鏡と、
前記内視鏡から送信された第二画像信号に画像処理を施し、アナログビデオ信号として外部に出力する第二プロセッサと、を有し、
前記第一プロセッサは、前記第二プロセッサから出力された前記アナログビデオ信号を第二デジタル信号に変換し、前記第一デジタル信号と前記第二デジタル信号を択一的に外部に出力することを特徴とする電子内視鏡システム。
【請求項９】
請求項７または請求項８に記載の電子内視鏡システムにおいて、
前記内視鏡の挿入部可撓管は、前記電子内視鏡の挿入部可撓管内を介して体腔内を進入することを特徴とする電子内視鏡システム。
【請求項１０】
請求項７から請求項９のいずれかに記載の電子内視鏡システムにおいて、
前記内視鏡は、電子内視鏡であることを特徴とする電子内視鏡システム。
【発明の詳細な説明】
【技術分野】
【０００１】
本発明は、電子内視鏡による撮像画像をデジタル信号として出力可能なプロセッサ、および該プロセッサを構成要素とする電子内視鏡システムに関する。
【背景技術】
【０００２】
従来、撮像画像の画質の劣化を防ぎ、電子内視鏡（電子スコープ）を実際に使用する場所から離れた場所であっても高画質な撮像画像を観察できるように、電子内視鏡により撮像された画像をデジタル信号として外部出力する電子内視鏡システムが知られている。このような電子内視鏡システムは、例えば、下記の特許文献１に開示される。
【０００３】
【特許文献１】特開平８−２１４２９０号公報
【０００４】
また、近年、主たる電子内視鏡とプロセッサの組と、一または複数の従たる電子内視鏡とプロセッサの組からなり、各内視鏡が互いの短所を補間し合ってより詳細な内視鏡観察を実現する、いわゆる親子式内視鏡システムが実用に供されている。詳しくは、親子式内視鏡システムは、主たる電子内視鏡の鉗子チャネル等に従たる電子内視鏡の細い挿入部を挿通させた状態で使用される。そして術者は、体腔内において比較的幅広な管腔内では、操作性能が高く高性能な構成である主たる電子内視鏡を用いて撮像、観察を行う。主たる電子内視鏡で撮像された画像は、対応する主たるプロセッサで画像処理され、外部に出力される。また、幅狭な管腔内では、術者は、主たる電子内視鏡の鉗子チャネル等から従たる電子内視鏡の挿入部先端を突出させて該幅狭な管腔内へ進入させ、主たる電子内視鏡では撮像困難であった部位の観察を可能にしている。従たる電子内視鏡で撮像された画像は、対応する従たるプロセッサで画像処理され、外部に出力される。
【０００５】
以上のような、親子式内視鏡システムであっても、画質の劣化を回避するため撮像画像をデジタル出力したいという要望がある。しかし、上記特許文献１に開示される電子内視鏡システムをそのまま親子式内視鏡システムに適用しようとすると、主従の各プロセッサをデジタル信号出力できるような構成にしなくてはならない。従って、親子式内視鏡システムを構成する各プロセッサの大型化やコストアップといった不具合を招くことになる。該不具合は内視鏡観察を行う検査室における配置スペースの問題や、新たな設備投資が要求される、あるいは既存の設備を使用することができないといった問題を招きかねない。
【発明の開示】
【発明が解決しようとする課題】
【０００６】
そこで本発明は、以上の事情に鑑み、安価であってかつ大型化を回避しつつも主従関係にある各電子内視鏡で撮像された画像をデジタル信号として外部出力することが可能な電子内視鏡用プロセッサおよび電子内視鏡システムを提供することを目的とする。
【課題を解決するための手段】
【０００７】
上記課題を解決するため、本発明の請求項１に記載の電子内視鏡用プロセッサは、電気的かつ光学的に接続された電子内視鏡から送信された画像信号に画像処理を施すことにより第一のデジタル信号を生成する画像処理手段と、少なくとも一つの外部装置から出力されたアナログビデオ信号を第二のデジタル信号に変換する信号変換手段と、第一デジタル信号と第二デジタル信号の少なくとも一方を外部に出力するデジタル信号出力手段と、を有することを特徴とする。
【０００８】
請求項１に記載の電子内視鏡用プロセッサによれば、接続された電子内視鏡で撮像された画像のみならず、外部で生成されたアナログビデオ信号も、デジタル信号に変換することができる。従って、請求項１に記載の電子内視鏡用プロセッサを親子式内視鏡システムにおける主たるプロセッサとして使用することにより、従たる電子内視鏡により撮像され、従たるプロセッサを介して出力されたアナログ画像信号をデジタル変換することが可能になる。つまり、従たる電子内視鏡やプロセッサは既存のものを使用することができる。
【０００９】
本発明の請求項２に記載の電子内視鏡用プロセッサによれば、少なくとも第一のデジタル信号をアナログ変換して外部に出力するアナログ信号出力手段を有することができる。これにより、アナログビデオ信号に基づき画像を表示する従来のモニタ等も使用することができる。
【００１０】
請求項３に記載の電子内視鏡用プロセッサによれば、アナログ信号出力手段は、デジタル信号出力手段から出力されたデジタルビデオ信号が入力する位置に配設されており、外部に出力されるデジタル信号と同一データのアナログ信号を出力するように配置、構成することができる。
【００１１】
請求項４に記載の電子内視鏡用プロセッサによれば、デジタル信号出力手段から外部に出力されるデジタルビデオ信号に、該デジタル信号が第一のデジタル信号、第二のデジタル信号のいずれであるかを表すキャラクタ信号を重畳する信号重畳手段をさらに有することが望ましい。これにより、術者は、プロセッサから出力されているデジタル信号がいずれの電子内視鏡により撮像された画像に対応する信号であるかを容易に判別することができる。
【００１２】
請求項５に記載の電子内視鏡用プロセッサによれば、デジタル信号出力手段は、第一デジタル信号と第二デジタル信号を択一的に外部に出力することができる。
【００１３】
請求項６に記載の電子内視鏡用プロセッサによれば、第一のデジタル信号と第二のデジタル信号のいずれか一方の出力を指示する操作手段をさらに有し、デジタル信号出力手段は、操作手段の指示に対応するデジタル信号を外部に出力することができる。これにより、術者のニーズに対応した画像信号をデジタル出力させることができる。
【００１４】
請求項７に記載の電子内視鏡システムは、電子内視鏡と、内視鏡と、該内視鏡から送信された画像信号に画像処理を施し、アナログビデオ信号として外部に出力する補助プロセッサと、電子内視鏡および補助プロセッサが接続される、請求項１から請求項６のいずれかに記載の電子内視鏡用プロセッサと、を有することを特徴とする。
【００１５】
また、別の観点から、請求項８に記載の電子内視鏡システムは、電子内視鏡と、該電子内視鏡から送信された第一画像信号に画像処理を施すことにより第一デジタル信号を生成する第一プロセッサと、内視鏡と、該内視鏡から送信された第二画像信号に画像処理を施し、アナログビデオ信号として外部に出力する第二プロセッサと、を有し、第一プロセッサは、第二プロセッサから出力されたアナログビデオ信号を第二デジタル信号に変換し、第一デジタル信号と第二デジタル信号を択一的に外部に出力することを特徴とする。
【００１６】
請求項９に記載の電子内視鏡システムによれば、第二プロセッサに接続される内視鏡の挿入部可撓管は、第一プロセッサに接続される電子内視鏡の挿入部可撓管内を介して体腔内を進入するように構成される。
【発明の効果】
【００１７】
本発明に係る電子内視鏡用プロセッサによれば、該プロセッサに直接接続された電子内視鏡から送信される画像信号のみならず、外部装置から出力されたアナログ信号もデジタル信号に変換して外部に出力することが可能になる。これにより、コストアップを抑えて、システムの大型化を有効に回避しつつも各電子内視鏡により撮像された画像をデジタル信号として外部出力することが可能な親子式の電子内視鏡システムが提供される。
【発明を実施するための最良の形態】
【００１８】
図面を参照して本発明の実施形態を説明する。図１は、本発明による電子内視鏡システム１００の概略構成を示す図である。電子内視鏡システム１００は、第一プロセッサ１００Ａ、第一電子内視鏡１００Ｂ、第二プロセッサ１００Ｃ、第二電子内視鏡１００Ｄ、第一モニタ１００Ｅ、第二モニタ１００Ｆを有する。
【００１９】
第一プロセッサ１００Ａは、システムコントローラ１、光源部２、画像処理部３、外部信号変換部４、出力信号切替部５、を有する。内視鏡観察時、第一プロセッサ１００Ａには、第一電子内視鏡１００Ｂが電気的かつ光学的に接続される。また、第一プロセッサ１００Ａには、第一モニタ１００Ｅや第二プロセッサ１００Ｃが接続される。第一電子内視鏡１００Ｂは、撮像部７、内視鏡側画像処理部８、ＥＥＰＲＯＭ９、鉗子チャネル１０、ライトガイド１１を有する。第一プロセッサ１００Ａは、第一モニタ１００Ｅにアナログビデオ信号を出力できるとともに、外部にデジタルビデオ信号も出力できるように構成されている。この点については後述する。
【００２０】
第二プロセッサ１００Ｃは、図示しないものの、上述した第一プロセッサ１００Ａとほぼ同等な構成を有する。但し、コストアップを回避するため、第二プロセッサ１００Ｃは、第一プロセッサ１００Ａよりも安価かつ簡易な構成になっている。例えば、第二プロセッサ１００Ｃから外部（ここでは、第一プロセッサ１００Ａや第二モニタ１００Ｆ）に出力されるビデオ信号は全てアナログ信号である。
【００２１】
第二電子内視鏡１００Ｄは、第一電子内視鏡１００Ｂと略同一に構成される。ここで、第二電子内視鏡１００Ｄは、第一電子内視鏡１００Ｂの鉗子チャネル１０内を挿通させ、鉗子口１０ａから先端部を突出した状態で使用される内視鏡である。つまり第二電子内視鏡１００Ｄは、第一電子内視鏡１００Ｂを主たる内視鏡と捉えると、従たる内視鏡にあたる。また、第二プロセッサ１００Ｃは、補助プロセッサにあたる。つまり、電子内視鏡システム１００は、第一電子内視鏡１００Ｂを親機、第二電子内視鏡１００Ｄを子機と位置づけた親子式内視鏡システムである。なお、第二電子内視鏡１００Ｄにおける体腔内挿入部、つまり挿入部可撓管は、第一電子内視鏡１００Ｂの鉗子チャネル１０に挿通可能な形状を有している。
【００２２】
以上のような構成の電子内視鏡システム１００を用いた、被検者に対する内視鏡観察および内視鏡処置について、図１および図２を参照しつつ以下詳述する。図２は、主として第一プロセッサ１００Ａが行う画像処理に関するブロック図である。
【００２３】
第一電子内視鏡１００Ｂを用いて体腔内の画像を撮像、観察する場合、システムコントローラ１は、光源部２を発光制御する。なお、システムコントローラ１は、第一プロセッサ１００Ａの各部位を統括して制御するだけでなく、第一電子内視鏡１００Ｂ（例えば撮像部７等）も駆動制御する。より詳しくは、システムコントローラ１は、第一電子内視鏡１００Ｂが第一プロセッサ１００Ａに接続されると、ＥＥＰＲＯＭ９に格納されている第一電子内視鏡１００Ｂ固有の情報を読み出す。そして該固有の情報も参考にして、第一電子内視鏡１００Ｂを駆動制御する。なお、ＥＥＰＲＯＭ９に格納される固有の情報としては、ロットナンバ等の識別情報等が例示される。
【００２４】
光源部２は、システムコントローラ１からの制御信号を受けて光を照射する。照射された光は、ライトガイド１１を介して、第一電子内視鏡１００Ｂの先端（より具体的には第一電子内視鏡１００Ｂの可撓管先端）から射出され、体腔内を照明する。
【００２５】
照明された体腔内からの反射光は、撮像部７内の撮像素子７１に受光される。撮像素子７１は、光電変換して受光量に対応する電圧信号（以下、画像信号という）を出力する。出力された画像信号は、アンプ７２で所定レベルまで増幅された後、内視鏡側画像処理部８に入力する。
【００２６】
内視鏡側画像処理部８は、入力する画像信号にガンマ補正やゲイン調整等の処理を施す。また、内視鏡側画像処理部８は、内部に信号生成用ＩＣ回路を有している。該回路は、画像信号に基づき、輝度信号Ｙ、色差信号Ｃｂ、Ｃｒを生成する。なお、ここで生成される各信号は各々１０ｂｉｔのパラレル信号であると想定する。輝度信号および色差信号は、内視鏡側画像処理部８から出力され、画像処理部３の第一デジタルデコーダ３１に入力する。
【００２７】
第一デジタルデコーダ３１は、入力する輝度信号および色差信号をデジタル信号に変換する。本実施形態の第一デジタルデコーダ３１は、Ｄ−１規格に則って各信号に対してサンプリングを行い、デジタル化を行う。すなわち、第一デジタルデコーダ３１は、輝度信号と各色差信号のサンプリング周波数の比率が４：２：２になるようにサンプリングを行う。具体的には、第一デジタルデコーダ３１は、輝度信号に対しては１３．５ＭＨｚ、各色差信号に対しては６．７５ＭＨｚのサンプリング周波数でサンプリングを行う。結果として、各信号の１ライン分に相当する有効映像期間、つまり前回の同期信号から今回の同期信号までの期間内におけるサンプル数は、輝度信号が７２０、各色差信号が３６０となる。
【００２８】
デジタル信号化処理を経た輝度信号および各色差信号は、メモリ３２にデータとして一時的に記録される。そして、システムコントローラ１から定期的に送信されるタイミング信号に従って一斉に読み出され、第一マルチプレクサ３３に入力する。ここで静止画像を表示する場合は、メモリ３２に記録されているデータの更新を中止すればよい。
【００２９】
なお、画像処理部３は、第一キャラクタ処理回路３４を有する。第一キャラクタ処理回路３４は、画像処理回路３を介して表示される画像が、第一電子内視鏡１００Ｂにより撮像された画像であることを視覚的に表す情報に関するキャラクタ信号を生成する。そして、メモリ３２から読み出され第一マルチプレクサ３３に入力する各信号に対して、該キャラクタ信号を重畳する。第一キャラクタ処理回路３４が生成するキャラクタ信号に対応する情報としては、「ＭＡＩＮ」という文字情報等が例示される。他にも、第一キャラクタ処理回路３４は、患者名や患者のＩＤ、現在の日時、といった種々の情報に関するキャラクタ信号を生成、重畳することが可能である。
【００３０】
第一マルチプレクサ３３は、入力する各信号を所定のサンプリング周波数で順次サンプリングして多重化処理を行う。本実施形態では、所定のサンプリング周波数は、第一デジタルデコーダ３１において輝度信号に対するサンプリング周波数の２倍、つまり２７ＭＨｚに設定される。また、サンプリングは、色差信号Ｃｂ、輝度信号Ｙ、色差信号Ｃｒの順に行われる。該多重化処理により、一系統のデジタル信号が生成される。以下、ここで生成されるデジタル画像信号を、説明の便宜上、第一のデジタル信号という。第一マルチプレクサ３３で生成された直後の第一のデジタル信号は、１０ｂｉｔのパラレル信号である。この多重化処理により、以後の回路等において、１０ｂｉｔの信号三種類に対して処理を行うよりも負担を軽減することができる。
【００３１】
なお、第一マルチプレクサ３３は、第一デジタルデコーダ３１入力前の各アナログ信号に存在する同期パルスに対応する同期ワードを第一のデジタル信号に付加する。
【００３２】
第一マルチプレクサ３３から出力された第一のデジタル信号は、デジタルエンコーダ３５および出力信号切替部５に入力する。デジタルエンコーダ３５は、入力した第一のデジタル信号を、Ｒ、Ｇ、Ｂの各アナログ信号や、第一モニタ１００Ｅの仕様に応じてＳビデオ信号、コンポジットビデオ信号等に変換する。第一モニタ１００Ｅは、デジタルエンコーダ３５により変換され、出力されたアナログ信号に基づく画像を表示する。
【００３３】
出力信号切替部５は、スイッチ部５１、パラレル／シリアル変換器５２を有する。第一電子内視鏡１００Ｂを用いて体腔内の画像を撮像、観察する場合、システムコントローラ１は、画像処理部３側がＯＮとなるようにスイッチ部５１を制御する。システムコントローラ１が行うスイッチ部５１の切り替え制御は、術者の操作に対応してフロントパネルに配設された操作部６から送信される信号に基づいてなされる。
【００３４】
スイッチ部５１が画像処理部３側にＯＮしているとき、第一のデジタル信号は、スイッチ部５１を介してパラレル／シリアル変換器５２に入力する。パラレル／シリアル変換器５２は、入力した第一のデジタル信号をシリアル信号に変換し、外部に出力する。外部出力の際、パラレル／シリアル変換器５２では、シリアル変換したことによる信号伝送のディレイを防止すべく、第一マルチプレクサ３３の多重化処理時のサンプリング周波数の１０倍、つまり２７０ＭＨｚに伝送レートが設定される。
【００３５】
次に第二電子内視鏡１００Ｄを用いて体腔内の画像を撮像、観察する場合を説明する。第二電子内視鏡１００Ｄを用いる場合、第二プロセッサ１００Ｃが上述した第一プロセッサ１００Ａと同様の処理を行う。但し、第二プロセッサ１００Ｃは、上記画像処理部３で実行されたようなデジタル変換処理を行う機能を有していない安価な構成である。従って、第二プロセッサ１００Ｃから第二モニタ１００Ｆおよび第一プロセッサ１００Ａに出力されるビデオ信号は、アナログ信号である。
【００３６】
第二プロセッサ１００Ｃから出力されたアナログビデオ信号は、第一プロセッサ１００Ａの外部信号変換部４に入力する。外部信号変換部４は、判別回路４１、第二デジタルデコーダ４２、第二マルチプレクサ４３、第二キャラクタ処理回路４４、を有する。
【００３７】
ここで、第一プロセッサ１００Ａの外部信号変換部４は、入力するアナログビデオ信号の規格の別を問わず、デジタル信号に変換できるように構成されている。具体的には、第二デジタルデコーダ４２は、入力するアナログ信号がいずれの規格であっても所定のデジタル信号に変換できる機能を有する。また、外部信号変換部４には、ケーブル接続用のポートＰが入力可能なアナログビデオ信号の規格に適合する数だけ設けられている。以下では、便宜上、輝度信号と色差信号が入力するものとする。
【００３８】
なお、接続される第二プロセッサ１００Ｃが予め決められており、第二プロセッサ１００Ｃから出力されるアナログビデオ信号が常に単一の規格である場合には、接続ポートは一系統で足りる。また、外部信号変換部４には所定の規格に従った単一のポートＰのみ配設し、各プロセッサ１００Ａ、１００Ｃ間を接続するケーブルとして、周知の変換処理により該所定の規格のアナログビデオ信号に変換する変換機能を備えるケーブルを使用することも可能である。
【００３９】
ポートＰを介して入力したアナログビデオ信号は、判別回路４１を介して第二デジタルデコーダ４２に入力する。判別回路４１は、外部からの信号入力の有無を判別する回路である。外部からの信号入力がない場合、システムコントローラ１は、判別回路４１から送信される信号に基づき、外部信号変換部４全体を休止状態にし、省電力化を図っている。なお、本実施形態では、上記の通り、システムコントローラ１は、術者が操作部６を操作することにより、スイッチ部５１の切替制御を行っている。ここで、システムコントローラ１は、判別回路４１から送信される信号に応じて、上述した出力信号切替部５のスイッチ部５１を自動的に切り替えても良い。
【００４０】
第二デジタルデコーダ４２は、上記第一デジタルデコーダ３１と同様の処理を行い、輝度信号Ｙと色差信号Ｃｂ、Ｃｒをデジタル変換し、後段に配設された第二マルチプレクサ４３へ出力する。デジタル変換された各信号は、上記画像処理部３でデジタル化された信号と同様１０ｂｉｔのパラレル信号である。
【００４１】
なお本実施形態では、外部信号変換部４に入力する信号に基づいた静止画像を表示する必要がない。そのため、画像処理部３におけるメモリ３２に相当する記録部は設けられていない。
【００４２】
第二キャラクタ処理回路４４は、画像処理部３が有する第一キャラクタ処理回路３４と同様の処理を行う。具体的には、第二キャラクタ処理回路４４は、外部信号変換部４を介して表示される画像が、第二電子内視鏡１００Ｄにより撮像された画像であることを視覚的に表す情報に関するキャラクタ情報、例えば「ＳＵＢ」という文字情報等に関するキャラクタ信号を生成する。そして、第二デジタルデコーダ４２から出力され第二マルチプレクサ４３に入力する各信号に対して、該キャラクタ信号を重畳する。なお、第二キャラクタ処理回路４４も、第一キャラクタ処理回路３４と同様に、患者名等に関する他のキャラクタ信号を生成、重畳することが可能である。
【００４３】
第二マルチプレクサ４３は、第一マルチプレクサ３３と同一の多重化処理を入力する各信号に施す。該多重化処理により、一系統のデジタル信号が生成される。以下、ここで生成されるデジタル画像信号を、説明の便宜上、第二のデジタル信号という。第二のデジタル信号は、出力信号切替部５に入力する。
【００４４】
ここで、術者の操作部６に関する操作に応じてシステムコントローラ１は、スイッチ部５１を外部信号変換部４側がＯＮとなるように切り替え制御している。従って、第二のデジタル信号は、スイッチ部５１を介してパラレル／シリアル変換器５２に入力する。パラレル／シリアル変換器５２での処理は上述した通りであるためここでの説明は省略する。
【００４５】
電子内視鏡システム１００は、以上のように構成されている。このように本実施形態の電子内視鏡システム１００によれば、電子内視鏡とプロセッサの組が複数あった場合でも、いずれか一つのプロセッサが上記第一プロセッサ１００Ａであれば、他のプロセッサはアナログビデオ信号のみしか出力できない場合であっても、各電子内視鏡により生成された画像信号は、有効にデジタル化されて外部に出力される。つまり、主たる電子内視鏡（ここでは第一電子内視鏡１００Ｂ）が接続されるプロセッサ（ここでは第一プロセッサ１００Ａ）以外は、既存の設備を利用することができる。
【００４６】
図３は、他の実施形態を示す図である。図３に示す他の実施形態は、デジタルエンコーダ３５をスイッチ部５１の後段に配設する以外は図２に示す構成と同一である。これにより、第一プロセッサ１００Ａから出力されるアナログビデオ信号とデジタルビデオ信号が同一となる。従って、第二電子内視鏡１００Ｄで撮像された画像も第一モニタ１００Ｅで表示可能となる。よって、従来第二プロセッサ１００Ｃに接続されていた第二モニタ１００Ｆが不要となり、構成のより一層の簡素化が図られる。また、この他の実施形態によれば、術者が第一モニタ１００Ｅを介して観察する画像と、内視鏡検査が行われている部屋から離れた場所で観察者が観察している画像が常に一致している。従って、術者と観察者との意思疎通が図りやすいといった利点も得られる。
【００４７】
以上が本発明の実施形態である。本発明は上記で説明した構成に限定されるものではなく、例えば以下に説明するような変形を行うことも可能である。
【００４８】
例えば、上記実施形態では、従たる内視鏡として第二電子内視鏡１００Ｄを使用している。しかし、本発明に係る電子内視鏡システムは、従たる内視鏡として超音波内視鏡やＸ線観察用内視鏡を使用することができる。
【００４９】
上記実施形態では、内視鏡側画像処理部８は第一電子内視鏡１００Ａ内に組み込まれているが、該処理部８を画像処理部３内に配設し、前段処理部として位置づけることも可能である。
【００５０】
また、上記実施形態では、スイッチ部５１を配設して、第一プロセッサ１００Ａから外部に出力されるデジタルの画像信号が、いずれの電子内視鏡で生成されたものであるかを明確にしている。しかし、本発明に係る電子内視鏡システムでは、スイッチ部５１を省略して、複数のデジタル信号を同時に外部に出力するような構成にすることもできる。この場合、システムコントローラ１が、自動的あるいは術者の操作に従って、複数のデジタル画像信号により表示される複数の画像の表示態様を適宜変更することが可能である。
【００５１】
また上記実施形態では、デジタル信号の規格としてＤ−１を使用しているが、これはあくまで例示であって他の規格に則って変換することも可能である。例えば、パラレル／シリアル変換器５２において、民生機に好適なＩＥＥＥ１３９４フォーマットに変換することも可能である。
【図面の簡単な説明】
【００５２】
【図１】本発明の実施形態の電子内視鏡システムの概略構成を示す図である。
【図２】実施形態の電子内視鏡システムの画像処理に関するブロック図である。
【図３】実施形態の電子内視鏡システムの画像処理に関するブロック図である。
【符号の説明】
【００５３】
１  システムコントローラ
３  画像処理部
４  外部信号変換部
５  出力信号切替部
７  撮像部
１０  鉗子チャネル
１００  電子内視鏡システム
１００Ａ  第一プロセッサ
１００Ｂ  第一電子内視鏡
１００Ｃ  第二プロセッサ
１００Ｄ  第二電子内視鏡
【図１】
2007244464.tif 000003
【図２】
2007244464.tif 000004
【図３】
2007244464.tif 000005